(57)【要約】      （修正有）【課題】プラントの状態変化や故障の要因と波及範囲を示す監視情報を、オペレータが画面上から容易に把握できるようにした監視制御支援機能を有する監視制御システムを提供する。【解決手段】監視制御システムは、プラントの運転状態またはプロセス状態を検出する検出装置と、前記検出装置から得られる検出データに基づいて、前記プラントの運転状態またはプロセス状態の履歴情報を生成する装置と、前記検出データ及び前記履歴情報を蓄積する装置と、前記検出データ及び前記履歴情報に基づいて、変化又は故障の要因を抽出し、その要因と波及範囲を示す監視情報を生成して、表示画面上に表示する監視制御支援装置とを具備する。監視制御支援装置は、システムの各要素の連結部の信号伝送部に正常判定タイマを設け、そのタイマ値の過去のデータに基づいて該当構成要素間の伝送部異常診断を実行し、当該診断結果を前記表示画面上に表示する手段を含む。【選択図】図１
2011108263.tif 000002
【特許請求の範囲】
【請求項１】
プラントの運転状態またはプロセス状態を検出する検出手段と、
前記検出手段から得られる検出データに基づいて、前記プラントの運転状態またはプロセス状態の履歴情報を生成する手段と、
前記検出データ及び前記履歴情報を蓄積する手段と、
前記検出データ及び前記履歴情報に基づいて、前記プラントの運転状態またはプロセス状態の変化又は故障を監視する手段で、当該変化又は故障の要因を抽出し、その要因と波及範囲を示す監視情報を生成して、表示画面上に表示する監視制御支援手段とを具備し、
前記監視制御支援手段は、
システムの各要素の連結部の信号伝送部に正常判定タイマを設け、そのタイマ値の過去のデータに基づいて該当構成要素間の伝送部異常診断を実行し、当該診断結果を前記表示画面上に表示する手段を含むことを特徴とする監視制御システム。
【請求項２】
前記検出データ及び前記履歴情報に基づいて、前記プラント又はプロセスの監視制御を実行する制御手段を含み、
前記監視制御支援手段は、前記制御手段の内部で実行される制御演算処理の演算結果を、前記表示画面上に表示する手段を含むことを特徴とする請求項１に記載の監視制御システム。
【請求項３】
前記監視制御支援手段は、
前記制御手段の内部で実行される制御演算処理の演算式、及び当該演算式の係数を設定するための画面を前記表示画面上に表示する手段を含むことを特徴とする請求項２に記載の監視制御システム。
【請求項４】
前記検出データ及び前記履歴情報に基づいて、前記プラント又はプロセスの監視制御を実行する制御手段を含み、
前記監視制御支援手段は、前記制御手段の内部で使用される制御タイマ値を、前記表示画面上に表示する手段を含むことを特徴とする請求項１に記載の監視制御システム。
【請求項５】
前記監視制御支援手段は、
前記制御手段の内部で使用される制御タイマ値を設定するための設定画面を前記表示画面上に表示する手段を含むことを特徴とする請求項４に記載の監視制御システム。
【請求項６】
前記監視制御支援手段は、
前記制御手段の内部で使用された過去の制御タイマ値を、前記プラント又はプロセスの故障診断用として前記表示画面上に表示する手段を含むことを特徴とする請求項４に記載の監視制御システム。
【発明の詳細な説明】
【技術分野】
【０００１】
本発明の実施形態は、例えば上下水道プラントに適用し、プラントの故障や状態を示す監視情報を画面上に表示する監視制御支援機能を有する監視制御システムに関する。
【背景技術】
【０００２】
近年、上下水道プラントなどのプラントは、高機能化、自動化、広域化、多種多様化に伴って、非常に多くの設備を使用し、かつ運転やプロセスの制御が複雑化している。このため、プラントの監視制御システムは、取り扱う情報量が増大し、高性能な監視制御機能が要求されている。
【０００３】
特に、都市のライフライン的存在である浄水場や下水処理場のプラント、発電所などのプラントには、安定したサービス機能や、高い信頼性と操作性が必要とされる。このようなプラントの監視制御システムとして、プラントの運転状態や故障（異常）を監視するために、特に異常診断機能を高機能化したシステムが提案されている（例えば、特許文献１を参照）。
【先行技術文献】
【特許文献】
【０００４】
【特許文献１】特開平４−１７５６９４号公報
【発明の概要】
【発明が解決しようとする課題】
【０００５】
近年のプラントの監視制御システムとして、プラントの高機能化などに伴って、多種多様な情報を処理し、高い異常診断機能を有し、プラントの運転状態や故障（異常）を監視できるものが提案又は開発されている。しかしながら、プラントのオペレータに提供している情報は、簡易的で、かつ限定されたものが多い。
【０００６】
例えば、プラントの設備の故障や状態を示す監視情報を画面上に表示しても、その故障や状態変化の要因や、その後のプラント運用にどう影響するかを示す情報までは表示しない。このため、プラントのオペレータは、監視制御システムの画面上に表示された情報だけでは、数多くの故障（異常）や情報の意味を把握することが困難であり、図面や取り扱い説明書や経験等に依存している部分が多い。また、現状の監視制御システムの運用では、機器の故障が発生した場合、故障状態が画面上に表示されて、アラーム発報がなされるが、その原因究明については、熟練のオペレータなどにより行われている。
【０００７】
そこで、本発明の目的は、プラントの状態変化や故障の要因と波及範囲を示す監視情報を、オペレータが画面上から容易に把握できるようにした監視制御支援機能を有する監視制御支援システムを提供することにある。
【課題を解決するための手段】
【０００８】
実施形態によれば、監視制御システムは、プラントの運転状態またはプロセス状態を検出する検出手段と、前記検出手段から得られる検出データに基づいて、前記プラントの運転状態またはプロセス状態の履歴情報を生成する手段と、前記検出データ及び前記履歴情報を蓄積する手段と、前記検出データ及び前記履歴情報に基づいて、前記プラントの運転状態またはプロセス状態の変化又は故障を監視する手段で、当該変化又は故障の要因を抽出し、その要因と波及範囲を示す監視情報を生成して、表示画面上に表示する監視制御支援手段とを具備する。前記監視制御支援手段は、システムの各要素の連結部の信号伝送部に正常判定タイマを設け、そのタイマ値の過去のデータに基づいて該当構成要素間の伝送部異常診断を実行し、当該診断結果を前記表示画面上に表示する手段を含む構成である。
【発明の効果】
【０００９】
実施形態によれば、プラントの状態変化や故障の要因を抽出し、その要因と波及範囲を示す監視情報を画面上に表示するようにした監視制御支援機能により、オペレータが画面上からそれらを容易に把握できる監視制御システムを提供することができる。
【図面の簡単な説明】
【００１０】
【図１】本実施形態に関する監視制御システムの構成を説明するための図。
【図２】本実施形態に関するシステムの故障及状態変化のメッセージ表示画面の一例を示す図。
【図３】第２の実施形態に関する制御フロー画面の一例を示す図。
【図４】第３の実施形態に関する制御フロー画面の一例を示す図。
【発明を実施するための形態】
【００１１】
以下図面を参照して、本発明の実施形態を説明する。
【００１２】
［第１の実施形態］
（システムの構成）
図１は、本実施形態に関する監視制御システムの構成を説明するための図である。本実施形態のシステムは、具体例として、下水道プラントでの雨水排水プロセスに適用する監視制御システムである。
【００１３】
雨水排水プロセスは、図１（Ｂ）に示すように、流入幹線１、流入渠２、及びポンプ井３を有し、流入幹線１に流入される雨水１０を、流入渠２を経てポンプ井３に導入する。ポンプ井３では、雨水１０は、複数台の雨水ポンプ５により汲み出されて、配管７を介して河川などへ排出される。雨水１０の排出は、複数の吐出弁６により調整される。
【００１４】
流入渠２及びポンプ井３のそれぞれには、水位計８，９が設けられている。また、流入渠２とポンプ井３の境界には、流入ゲート４が設けられて、ポンプ井３への雨水１０の導入量が調整される。
【００１５】
一方、本実施形態の監視制御システムは、図１（Ａ）に示すように、地上雨量計１５、雨量レーダ１８、雨量レーダ処理装置１９、及び中央監視制御装置２０を有する。地上雨量計１５は、降雨１７の雨量を計測し、降雨量信号１６を中央監視制御装置２０に伝送する。雨量レーダ処理装置１９は、雨量レーダ１８からのレーダ信号を処理して、降雨１７の範囲などの検知結果を示す情報を中央監視制御装置２０に伝送する。
【００１６】
中央監視制御装置２０は、ソフトウェア及びハードウェアを含むコンピュータシステムから構成されており、伝送路（バス）２１と、プロセスコントロール部２２と、ヒューマンインタフェース部２３と、データサーバ部２４とを有する。プロセスコントロール部２２は、監視対象である下水道プラント（ここでは雨水排水プロセス）の各種監視制御を実行するためのメインコントローラである。
【００１７】
ヒューマンインタフェース部２３は、オペレータが操作して設定値などを入力する入力操作部や、プロセスコントロール部２２及びデータサーバ部２４から出力される各種情報を画面上に表示する表示出力部を含む。データサーバ部２４は、主として、プラントの運転状態やプロセス状態を示す情報を蓄積し、要求された情報を検索する機能を有する。
【００１８】
以上のような構成により、中央監視制御装置２０は、オペレータに監視制御に関するプラント状態やプロセス状態に関する情報を、画面上で表示して伝える監視制御支援機能を実現している。具体的には、プラントおよびプロセスの異常（故障）状態、状態変化、要因、波及範囲などの支援情報をオペレータに的確に伝える機能である。
【００１９】
（システムの作用）
プロセスコントロール部２２は、地上雨量計１５から降雨量信号１６、水位計８から流入渠２の水位、及び水位計９からポンプ井３の水位を取り込み、これらの検出データをそのまま又は加工して、伝送路２１を介してデータサーバ部２４に転送する。また、プロセスコントロール部２２は、雨水ポンプ５及び流入ゲート４の運転状態を示すデータを取り込み、これらのデータも加工してデータサーバ部２４に転送する。データサーバ部２４は、転送される各データを、プラントの運転状態やプロセス状態を示す情報として蓄積する。
【００２０】
プロセスコントロール部２２は、データサーバ部２４に蓄積されたプラントの運転状態やプロセス状態を示す情報を使用して、プラントやプロセスの状態変化や異常状態を判定し、この判定結果に基づいて故障箇所、その要因、及び波及範囲を示す監視情報を生成して、ヒューマンインタフェース部２３の画面上に表示する。
【００２１】
以下、図２を参照して、ヒューマンインタフェース部２３の画面上に表示される監視情報の一例を説明する。
【００２２】
図２は、プロセスコントロール部２２により検出された故障及び状態変化を示すメッセージ表示画面の一例を示す図である。まず、図２（Ａ）に示すように、メッセージ表示画面上でメッセージ１００をクリックすると、広域システムの中でどの箇所が故障の発生元であるかを示す画面情報１０１が表示される。次に、オペレータは、図２（Ａ）に示す画面上で、故障に示す選択ボタンをクリックすると、図２（Ｂ）に示すシステム構成画面１０２に移行する。システム構成画面１０２は、どのルートで故障信号が発生したかを表示する。ここでは、システム構成画面１０２には、例えば「二次処理水給水ポンプ３号」が故障の発生元であることを示す画面情報１０３が表示される。この発生元から、例えば「二次処理水設備」、「沈砂地設備」の信号経路を強調する画面情報１０６，１０７が表示される。
【００２３】
プロセスコントロール部２２は、システム構成画面上の各伝送経路での正常診断を行うために伝送時間のタイマカウント値に関する自己相関関数により異常かどうかを判定する。具体的には、システムの各要素の連結部の信号伝送部に正常判定タイマを設けて、そのタイマ値の過去のデータに基づいて該当構成要素間の伝送異常診断を実行する。プロセスコントロール部２２は、当該診断結果を画面上に表示する。即ち、タイマカウント値の過去のデータに基づいて、その自己相関関数を求め、あるタイマカウント値があらかじめ定めた閾値を超えた場合に、そのタイマカウント値を異常とみなす。
【００２４】
また、プロセスコントロール部２２は、故障の発生元であることを示す画面情報１０３の指定箇所をクリックすることにより、故障の要因及び波及範囲を示す画面情報１０４を表示する。ここで、故障の要因が波及する部分を示す画面情報１０５を、例えば色を変えて表示する。
【００２５】
以上のように本実施形態のシステムであれば、特に広域化されたプラントやプロセスにおいて、プラントやプロセスの状態変化や異常状態を判定し、この判定結果に基づいて故障箇所、その要因、及び波及範囲を示す監視情報を生成して、ヒューマンインタフェース部２３の画面上に表示する。従って、オペレータは、画面上を確認するだけで、プラントやプロセスの故障発生箇所、その要因、及び波及範囲を容易に把握することができる。このため、例えば伝送路の故障からプラント停止等に影響する重大な危険を未然に防ぐことが可能となるなど、オペレータの監視作業の効率化を図ることができる。
【００２６】
［第２の実施形態］
図３は、第２の実施形態に関する制御フロー画面の一例を示す図である。なお、システム全体の構成については、前述の図１（Ａ），（Ｂ）に示すものと同様のため、詳細な説明を省略する。
【００２７】
プロセスコントロール部２２は、ＰＩＤ制御等の監視制御処理において、内部的に多くの演算処理を実行しており、プラント運用に有益な内部情報を生成している。具体的には、ＰＩ制御にフィードフォワード補償を組み合わせている場合には、そのフィードフォワード項の演算出力結果は、制御が正常に行われているかの判断手段となり得て、制御という観点からは非常に有益な情報である。
【００２８】
しかし、従来の監視制御システムでは、そのような内部演算結果であるプラント運用に有益な内部情報は、画面上に表示されることはない。内部演算処理で使用される演算式自体も、図面等には記載されているものの、画面上に表示されることはない。
【００２９】
そこで、本実施形態のシステムは、図３に示すように、プロセスコントロール部２２の内部での演算処理の演算結果及び演算式を含む制御フロー画面を、ヒューマンインタフェース部２３の画面上に表示する構成である。
【００３０】
具体的には、図３に示すように、表示画面上に表示された制御フロー画面において、おオペレータがヒューマンインタフェース部２３の操作部を操作して、演算出力の矢印２０１をポインタ２００で指示すると、その演算結果（表示２）２０２を表示する。同様にして、矢印２０４に示す演算出力をポインタで指示すると、その演算結果（表示１）２０３を表示する。なお、表示した演算結果を消去する機能も含む。この場合、演算出力の信号の流れに相当する矢印部を、マウス等のポインタで指示する場合に演算結果を表示するようにしてもよい。
【００３１】
また、例えば矢印２０５に示す演算部の出力をポインタ２００で指示すると、該当する演算式２０６を表示する。この場合、図３に示すように、演算式画面２０６を表示し、この小画面２０６において演算式で用いられているパラメータ（係数）の設定を行なう機能を有する。
【００３２】
以上のように本実施形態のシステムの機能であれば、プロセスコントロール部２２の内部での演算処理の演算結果及び演算式を、ヒューマンインタフェース部２３の画面上に表示する制御フロー画面上において表示する。従って、オペレータは、制御フロー画面上において、プラント運用に有益な内部情報として、システムの内部演算処理の演算結果や演算式を容易に確認することができる。これにより、監視制御システムの制御内容の詳細な把握と、制御処理における調整作業の双方を実行することが可能となる。
【００３３】
また、近年の水質規制等により、監視制御システムにおけるループ制御機能は、複雑化し、従来の単純なＰＩＤ制御などだけでなく、多種多様な補正項や条件が組み合わされているため、従来の結果のみを表示する監視制御システムの内容だけでは、オペレータの運用に支障がでる場合がある。本実施形態のシステムであれば、ループ制御の正常および異常状態を的確に把握することが容易であるため、確実なオペレータの運用が可能となる。
【００３４】
［第３の実施形態］
図４は、第３の実施形態に関する監視情報の表示画面の一例を示す図である。なお、システム全体の構成については、前述の図１（Ａ），（Ｂ）に示すものと同様のため、詳細な説明を省略する。
【００３５】
従来の監視制御システムでは、非常に多くのタイマ値が使用されているが、その大部分がシステム内部の制御のみで用いられており、オペレータには提示されていない場合が多い。また、オペレータが設定可能なものとして提示されているタイマ値があっても、必ずしも分かりやすく表示されていない。
【００３６】
そこで、本実施形態のシステムは、システム内部の制御で使用されるタイマ値及びタイマ設定画面をヒューマンインタフェース部２３の画面上に表示する。ここでは、図１（Ｂ）に示すように、雨水排水プロセスにおいて、ポンプ井３には、複数の吐出弁６が設けられており、これらにより雨水１０の排出が調整される。
【００３７】
プロセスコントロール部２２は、吐出弁６の開閉を確認するための始動渋滞タイマ及び停止渋滞タイマを使用する場合、図４（Ａ）に示すように、警報設定時間Ｔ１，Ｔ２を設定するための設定画面を、ヒューマンインタフェース部２３の表示画面上に表示する。また、プロセスコントロール部２２は、図４（Ｂ）に示すように、例えば汚水ポンプ１号の始動行程での吐出弁６の開閉を確認するためのタイマ値を表示し、かつオペレータが設定するためのタイマ設定画面を表示する。ここで、図４（Ｂ）に示す表示画面上において、オペレータは、タイマシンボル部（ここでは、Ｔ１〜Ｔ３）をポインタで指示すると、設定されているタイマ値を表示する。また、タイマ設定画面により、オペレータはタイマ値を設定することができる。
【００３８】
以上のように本実施形態のシステムの機能であれば、オペレータは、システム内部の制御で使用されるタイマ値を、ヒューマンインタフェース部２３の表示画面上で確認することができる。また、オペレータは、ヒューマンインタフェース部２３の表示画面上で、システム内部の制御で使用されるタイマ値を簡単に設定することが可能である。この場合、タイマ値の設定範囲を制限し、プラント運用に支障がでないような機構を設けることとする。また、タイマ値の意味についての説明表示を選択できる機能を設けてもよい。このような機能により、オペレータは、表示画面上で現状のプラント又はプロセスの状態を容易に把握することができ、プラント運用を円滑に進めることが可能となる。
【００３９】
ここで、渋滞タイマが機能した場合のタイマカウント値を、データサーバ部２４に予め定めた期間分だけ蓄積しておき、ヒューマンインタフェース部２３、データサーバ部２４、またはプロセスコントロール部２２のいずれかで、現在から過去のタイマ値の中に異常値があるかどうかを、タイマカウント値の自己相関関数に基づいて判定する。異常値と判定されたタイマカウント値がある場合は、該当機器の故障が考えられる。オペレータは、表示画面上で異常値と判定されたタイマカウント値に基づいて、その点検を実行することにより、機器故障によるプラント停止等の危険を防ぐことが可能である。換言すれば、専用の診断装置を用いることなく、プラントに使用されている機器の診断機能を簡単に実現することが可能となる。
【００４０】
以上のように各実施形態の監視制御システムによれば、オペレータは、表示画面上において、プラントやプロセスの状態変化及び異常を的確に分析・判断するための情報を確認できるため、当該状態変化や異常（故障）をより迅速に、かつ正確に把握することが可能となる。従って、効果的なプラント運用が期待できると共に、オペレータの負担を軽減させて、監視制御作業の効率化を図ることができる。また、特に、プラント運用経験の浅いオペレータ、または少人数で広域のプラントを運営しているオペレータに対して、プラントを安全かつ安定して運用していくための判断情報を提供できるため、オペレータの負荷を軽減することが可能となる。
【００４１】
なお、各実施形態は、具体的なプロセスとして雨水排水プロセスを想定したが、これに限ることなく、例えば上水道プロセスや発電プロセスなどの監視制御システムにも適用することができる。
【００４２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４３】
１…流入幹線、２…流入渠、３…ポンプ井、４…流入ゲート、５…雨水ポンプ、
６…吐出弁、７…配管、８，９…水位計、１０…雨水、１５…地上雨量計、
１８…雨量レーダ、１９…雨量レーダ処理装置、２０…中央監視制御装置、
２１…伝送路（バス）、２２…プロセスコントロール部、
２３…ヒューマンインタフェース部、２４…データサーバ部。
【図１】
2011108263.tif 000003
【図２】
2011108263.tif 000004
【図３】
2011108263.tif 000005
【図４】
2011108263.tif 000006